(57)【要約】【課題】ドアの仮止めが、ちょっとしたドアの揺れ等により、不意に解除されることを防止する。【解決手段】本発明のドア用開閉器１００は、外筒２と、外筒２内に摺動自在に収容された内挿部材３とを有し、ドアの開閉動作に応じて内挿部材３が摺動するようにドアとドアの枠とを連結している。さらに、一端が内挿部材３に接続され、他端に外筒２と係合する係合部４４が備えられた付勢手段４を有し、付勢手段４は、伸長方向の反対の方向へ向けて内挿部材３を付勢する。【選択図】図１
2008031823.tif 000002
【特許請求の範囲】
【請求項１】
外筒と、
前記外筒内に摺動自在に収容された内挿部材とを有し、
ドアの開閉動作に応じて前記内挿部材が摺動するようにドアとドアの枠とを連結しているドア用開閉器であって、
一端が内挿部材に接続され、
他端に外筒と係合する係合部が備えられた付勢手段を有し、
該付勢手段が、伸長方向とは反対の方向に向かって前記内挿部材を付勢する
ことを特徴とするドア用開閉器。
【請求項２】
前記付勢手段が引張コイルバネまたは圧縮コイルバネである請求項１記載のドア用開閉器。
【請求項３】
前記外筒には、前記付勢手段の前記係合部と係合する部材が、前記外筒の側縁を繋ぐように外筒の長手方向に垂直に備えられてなる請求項１または２記載のドア用開閉器。
【請求項４】
前記内挿部材には、前記付勢手段の初期状態の長さを決定するための部材が備えられてなる請求項１、２または３記載のドア用開閉器。
【請求項５】
前記内挿部材には、前記外筒の側縁と係合して前記内挿部材の摺動を止める係止体が回転自在に備えられてなる請求項１、２、３または４記載のドア用開閉器。
【請求項６】
前記内挿部材の端部には、該内挿部材に制動力を与えて減速させる制動手段を備えてなる請求項１、２、３、４または５記載のドア用開閉器。
【請求項７】
前記外筒には、底部に、前記内挿部材が収容される側へ向けて突出した形状のブレーキ部が形成されてなる請求項１、２、３、４、５または６記載のドア用開閉器。
【請求項８】
前記付勢手段が圧縮コイルバネである場合に、前記内挿部材から圧縮コイルバネの脱落を防止するための脱落防止手段が前記内挿部材に設けられてなる請求項２〜７のいずれか１項に記載のドア用開閉器。
【発明の詳細な説明】
【技術分野】
【０００１】
本発明は、ドア用開閉器に関する。さらに詳しくは、外筒と、前記外筒内に摺動自在に収容された内挿部材とを有し、ドアの開閉動作に応じて前記内挿部材が摺動するようにドアとドアの枠とを連結しているドア用開閉器に関する。
【背景技術】
【０００２】
従来より、窓やドア（Door）を全開または任意の開度で保持するためのドア用開閉器が用いられている。
【０００３】
特許文献１には、窓等を全閉の状態にしたときに窓等を枠に保持（ロック）することができ、窓等のがたつきや振動を防ぐフリーワンタッチ保持タイプの窓等開閉器の技術が開示されている。このなかで、窓やドアを開いた状態に仮止めする機構が用いられている。この仮止めの機構は、回転自在の係止体が外筒の内側を摺動する内挿部材に取り付けられており、係止体に設けられた当接部と外筒に設けられた係止部とが所定の角度で当接することにより係合し、内挿部材の摺動を止めて、ドアを開いた状態で暫定的に固定するものである。
【０００４】
【特許文献１】特開２００５−２０７１４８号公報
【発明の開示】
【発明が解決しようとする課題】
【０００５】
しかしながら、上述した従来の技術では、ドアの仮止めは、ドアが風などを受けて揺れると、安易に解除されてしまうという問題があった。
【０００６】
本発明は、上記従来の問題を鑑みてなされたもので、ドアの仮止めが、ちょっとしたドアの揺れにより、不意に解除されることを防止することができるドア用開閉器を提供することを目的としている。
【課題を解決するための手段】
【０００７】
本発明のドア用開閉器は、外筒と、前記外筒内に摺動自在に収容された内挿部材とを有し、ドアの開閉動作に応じて前記内挿部材が摺動するようにドアとドアの枠とを連結しているドア用開閉器であって、一端が内挿部材に接続され、他端に外筒と係合する係合部が備えられた付勢手段を有し、該付勢手段が、伸長方向とは反対の方向に向かって前記内挿部材を付勢することを特徴としている。
【０００８】
また、前記付勢手段は、引張コイルバネまたは圧縮コイルバネであることが好ましい。
【０００９】
また、前記外筒には、前記付勢手段の前記係合部と係合する部材が、前記外筒の側縁を繋ぐように外筒の長手方向に垂直に備えられてなることが好ましい。
【００１０】
また、前記内挿部材には、前記付勢手段の初期状態の長さを決定するための部材が備えられてなることが好ましい。
【００１１】
前記内挿部材には、前記外筒の側縁と係合して前記内挿部材の摺動を止める係止体が回転自在に備えられてなることが好ましい。
【００１２】
前記内挿部材の端部には、該内挿部材に制動力を与えて減速させる制動手段を備えてなることが好ましい。
【００１３】
前記外筒には、底部に、前記内挿部材が収容される側へ向けて突出した形状のブレーキ部が形成されてなることが好ましい。
【００１４】
また、前記付勢手段が圧縮コイルバネである場合に、前記内挿部材から圧縮コイルバネの脱落を防止するための脱落防止手段が前記内挿部材に設けられてなることが好ましい。
【発明の効果】
【００１５】
本発明のドア用開閉器によれば、外筒と、外筒内に摺動自在に収容された内挿部材と、一端が内挿部材に接続され、他端に外筒と係合する係合部が備えられた付勢手段とを有している。この付勢手段は、内挿部材を伸長して、付勢手段の他端に設けられた係合部が、外筒に設けられた付勢手段係合部材と係合する位置に達すると、伸長方向の反対の方向へ向けて付勢する。すなわち、ドアは、開扉動作時に所定の位置（仮止め位置）まで開かれると、付勢手段により、閉じる方向に付勢される。それゆえ、ドアの仮止めを解除するためには、使用者はドアに対して意図的に仮止め状態の位置からドアを全開方向へ向けて力を加える必要がある。したがって、本発明のドア用開閉器によれば、確実に仮止め状態を維持することができ、ドアの仮止めが、ちょっとしたドアの揺れ等により、不意に解除されることを防止することができる。
【発明を実施するための最良の形態】
【００１６】
本発明のドア用開閉器は、外筒と、前記外筒内に摺動自在に収容された内挿部材とを有し、ドアの開閉動作に応じて前記内挿部材が摺動するようにドアとドアの枠とを連結している。さらに、一端が内挿部材に接続され、他端に外筒と係合する係合部が備えられた付勢手段を有し、該付勢手段は、伸長方向の反対の方向へ向けて前記内挿部材を付勢することを特徴としている。
【００１７】
以下で、添付図面を用いて本発明のドア用開閉器を詳細に説明する。
【００１８】
図１は本発明の一実施の形態にかかわるドア用開閉器の斜視図、図２は図１のドア用開閉器の使用状態を説明するための平面図、図３（ａ）〜図３（ｅ）は図１のドア用開閉器の動作を説明するための平面図、図４（ａ）〜図４（ｅ）は図１のドア用開閉器の動作を説明するための断面図、図５は本発明の他の実施の形態にかかわるドア用開閉器の斜視図、図６は図５のドア用開閉器の動作を説明するための平面図、図７は図５のドア用開閉器の動作を説明するための平面図、図８（ａ）〜図８（ｅ）は本発明のドア用開閉器を使用したドアの動きとドアに加える力の大きさを説明するための図である。
【００１９】
実施の形態１
実施の形態１のドア用開閉器１００は、図１に示されるように、外筒２と、外筒内に摺動自在に収容された内挿部材３と、一端が内挿部材３に接続された付勢手段４と、内挿部材３に取り付けられたドアの仮止めを行うための係止体５と、内装部材３の先端に取り付けられて、内挿部材３に制動力を与えて減速させる合成樹脂製の制動手段６と、外筒２の端部に設けられた第１取り付け手段７と、内挿部材３の端部に設けられた第２取り付け手段８とから構成されている。ドア用開閉器１００は、図２に示されるように、第１取り付け手段７がドア枠Ｗに固定され、第２取り付け手段８がドア本体Ｄに固定されて使用される。
【００２０】
外筒２は、図１に示されるように、外筒底部２０と側縁２１とから構成された断面Ｃ字状の長尺体である。外筒底部２０には、図４（ａ）に示されるように、ブレーキ部２０ａが内挿部材３を収容する側に向かって突出して形成されている。また、外筒２の側縁２１には、後述する係止体５に当接して係止体５の動きを制御する第１係止部２ａと、第２係止部２ｂと、第３係止部２ｃとが設けられている。ブレーキ部２０ａは、係止体５が、第２係止部２ｂを通過する位置に形成され、内挿部材３の先端に設けられた制動手段６と接触することにより、内挿部材３の摺動速度を減速させる。また、外筒２には、第１取り付け手段７の回転軸７１を貫通させるための孔が穿設されている。また、外筒２における内挿部材３の挿入口には、内側表面に接するように合成樹脂製のスペーサを兼ねた制動部材が嵌められており、内挿部材３と接触して内挿部材３が摺動する際の速度と緩衝音を制御している。
【００２１】
内挿部材３は、図１に示されるように、内挿部材底部３０と側縁３１とから構成された断面Ｃ字状の長尺体である。内挿部材３には、第２取り付け手段８の回転軸８１を貫通させるための孔が穿設されている。内挿部材３が、外筒２の内側を摺動することにより、ドア用開閉器１００の全体の長さが伸縮する。
【００２２】
付勢手段４は、図３（ａ）に示されるように、引張コイルバネ４２と、引張コイルバネ４２の一方の端を内挿部材３に接続するための内挿部材底部３０から突出するように設けられた接続部４１と、引張コイルバネ４２の他方の端が掛止され、内挿部材３の底部３０上に摺接された付勢力伝達プレート４３と、付勢力伝達プレート４３から突出するように形成された係合部４４と、付勢力伝達プレート４３の位置を係止して、引張コイルバネ４２の初期状態の長さＬ０を決定するための、内挿部材３の底部３０に設けられた係止部材４５とから構成されている。
【００２３】
ここで、付勢手段４の機能について説明する。外筒２に収められた内挿部材３を引き出して、ドア用開閉器１００を伸長すると、付勢力伝達プレート４３に形成された係合部４４が、外筒２に設けられた付勢手段係合部材２２と係合する。このことにより、引張コイルバネ４２に引っ張り力が加わり、引張コイルバネ４２が伸長する。すなわち、引張コイルバネ４２には、縮む方向に応力が生じ、内挿部材３が伸長方向の反対方向に付勢される。
【００２４】
係止体５は、内挿部材３に回転軸５０を介して回転自在に取り付けられている。図３（ａ）〜図３（ｅ）、図４（ａ）〜図４（ｅ）に示されるように、係止体５には、第１当接部５１ａと、第２当接部５１ｂと、第３当接部５２ａと、第４当接部５２ｂとが設けられている。これらの当接部５１ａ、５１ｂ、５２ａ、５２ｂは、外筒２の第１係止部２ａ、第２係止部２ｂ、第３係止部２ｃと当接して回転および係合し、内挿部材３が外筒２に収容される方向に移動するのを外筒２に設けられた第２係止部の位置で仮止めする。
【００２５】
ここで、上述した付勢手段４の係合部４４は、内挿部材３に取り付けられた係止体５が外筒２の第２係止部２ｂを通過する時点で外筒２の付勢手段係合部材２２と係合するように配置されている。それゆえ、ドアを開扉する動作に伴って、内挿部材３が外筒２から引き出されると、内挿部材３に取り付けられた係止体５が、外筒２の第２係止部２ｂを通過する時点で、内挿部材３にドア用開閉器１００の伸長方向とは反対の方向に付勢力が加わる。
【００２６】
制動手段６は、内挿部材３の端部に設けられており、外筒２の内側表面に接触して摺動し、ドア用開閉器１００における伸縮時の内挿部材３の移動速度を制御する。
【００２７】
第１取り付け手段７は、図１および図２に示されるように、外筒２の端部に回転軸７１を介して取り付けられている。このように、回転軸７１を介して第１取り付け手段７が外筒２に取り付けられ、さらに第１取り付け手段７がドア枠Ｗに固定されることにより、外筒２が回転軸７１を中心とした回動を行う。
【００２８】
第２取り付け手段８は、図１および図２に示されるように、内挿部材３の端部に回転軸８１を介して取り付けられている。このように、回転軸８１を介して第２取り付け手段８が内挿部材３に取り付けられ、さらに第２取り付け手段がドア本体Ｄに固定されることにより、内挿部材３が回転軸８１を中心とした回動を行う。
【００２９】
上記構成により、実施の形態１のドア用開閉器１００の動作を図３（ａ）〜図３（ｅ）、図４（ａ）〜図４（ｅ）および図８（ａ）〜図８（ｅ）を用いて説明する。ここで、図３〜図８の（ａ）、図３〜図８の（ｂ）、図３〜図８の（ｃ）、図３〜図８の（ｄ）、図３〜図８の（ｅ）は、それぞれドアＤの開閉動作における同一タイミングでの図を示している。なお、図８（ａ）〜（ｅ）において、点線部は、ドアＤが次の瞬間に到達する位置を示している。
【００３０】
まず、図３（ａ）、図４（ａ）および図８（ａ）に示されるように、使用者がドアＤに対して開扉動作をｆ１方向に行うと、ドアＤに第８取り付け手段８を介して取り付けられた内挿部材３は外筒２から引き出され、ドア用開閉器１００が伸長し始める。
【００３１】
つぎに、内挿部材３に設けられた係止体５が、外筒２の第２係止部２ｂを通過する位置に達すると、一端が内挿部材３に取り付けられた付勢手段４における、付勢力伝達プレート４３の係合部４４が、外筒２に設けられた付勢手段係合部材２２と係合する（図３（ａ）、図４（ａ）参照）。
【００３２】
さらに、使用者がドアＤを開扉方向に押そうと試みると、内挿部材３には、ドア用開閉器１００の伸長方向の反対方向、すなわち、ドアＤが閉じる方向に付勢力が加わるので、使用者は、ドアＤに対して意図的な力ｆ２を加えて全開状態まで開扉する（図８（ｂ）参照）。このとき、係止体５は、図３（ｂ）に示されるように、係止体５の第１当接部５１ａの先端が外筒２の第１係止部２ａに当接して、反時計回りに回転し、係止体５の第３当接部５２ａが外筒２の第１係止部２ａに当接したところで、係止体５の回転が一旦止まる。付勢手段４の引張コイルバネ４２は、このときに、初期状態の長さＬ０から最大長さＬ１まで伸びる（図３（ｂ）、図４（ｂ）参照）。
【００３３】
つぎに、図３（ｃ）、図４（ｃ）および図８（ｃ）に示されるように、使用者がドアＤから手を離すと、内挿部材３には、付勢手段４により、内挿部材３を外筒２内に収容する方向に付勢力が加わっているので、係止体５の第２当接部５１ｂと第４当接部５２ｂとが外筒２の第２係止部２ｂに係合する位置まで、内挿部材３が外筒２に収まる方向へ移動する（図３（ｃ）、図４（ｃ））。ドアＤは、内挿部材３の移動と共に、若干閉じる方向へ移動する。この状態がドアＤの仮止め状態である。
【００３４】
つぎに、ドアＤの仮止めを解除するために、使用者がドアＤに対して意図的な力ｆ２を加えて全開状態まで開扉する（図８（ｄ）参照）。付勢手段４の引張コイルバネ４２は、再び最大長さＬ１まで伸びる。このとき、内挿部材３に設けられた係止体５の第３当接部５２ａは外筒２の第１係止部２ａに当接して、係止体５が反時計回りに回転し、第３当接部５２ａが外筒２の第１係止部２ａ、第２当接部５１ｂが外筒２の第３係止部２ｃにそれぞれ当接する（図３（ｄ）、図４（ｄ）参照）。このように、係止体５が反時計回りに回転し、第２当接部５１ｂ、第４当接部５２ｂが外筒２の第２係止部２ｂと係合しない位置になったところで仮止めは解除される。このように、ドアＤの仮止めを解除するには、使用者がドアＤに対して意図的な力ｆ２を加えて、再度全開状態にする必要があり、ちょっとしたドアＤの揺れなどでは仮止めを解除することができない。
【００３５】
図５〜７に示されるように、付勢手段４として圧縮コイルバネ４２を採用することも可能である。この場合、付勢力伝達プレート４３に図６に示されるような長孔４３ｂを形成し、内挿部材３の底部３０に凸状の圧縮バネ押えＳを設けておき、付勢力伝達プレート４３の長孔４３ｂ内に圧縮バネ押えＳが嵌入するように位置づけておけばよい。図６は圧縮コイルバネ４２の無負荷時に、圧縮バネ押えＳと長孔４３ｂの一端との間に圧縮コイルバネ４２が配設された状態を示している。図中の参照符号Ｐは圧縮コイルバネ４２の両端に取り付けられたピンを示している。このピンＰは圧縮コイルバネ４２に繰り返し応力が加えられた際のバネの折損を防止する機能を有している。そして、ドアの開放時に内挿部材３が伸張すると、図７に示されるように圧縮コイルバネ４２が縮められ、元の状態に復元しようとする付勢力（復元力）により付勢力伝達プレート４３が内挿部材３の伸張方向とは逆向きに移動し、係止体５の第３当接部５１ａが外筒２の第１係止部２ａに当接したところで、係止体５の回転が一旦止まる。その際、圧縮コイルバネ４２の復元力により、圧縮バネ押えＳと長孔４３ｂの一端との間から脱落する虞があるので、図５に示されるように、内挿部材３の側縁３１と圧縮コイルバネ４２との間に圧縮コイルバネ４２の脱落防止手段９０として機能する金属製の薄板が設けられている。ここで、さらに使用者がドアＤから手を離すと、内挿部材３には、付勢手段４により、内挿部材３を外筒２内に収容する方向に付勢力が加わっているので、内挿部材３が外筒２に収まる方向へ移動し、ドアＤは、内挿部材３の移動と共に、若干閉じる方向へ移動する。この状態がドアＤの仮止め状態である。内挿部適所に例えば赤色のペイントを塗布しておき、外筒２の適所を切除し、仮止め状態の位置が外部から見えるようにしておけばユーザーにとってきわめて便利である。
【００３６】
最後に、ドアＤを閉じる際の動作について図３（ｅ）、図４（ｅ）および図８（ｅ）を用いて説明する。使用者がドアＤの仮止めを解除し、ドアＤを閉める方向に引っ張ると、ドアＤに第２取り付け手段８を介して取り付けられた内挿部材３は、外筒２に収まる方向に摺動する。このとき、内挿部材３に設けられた係止体５の第４当接部５２ｂは、外筒２の第２係止部２ｂに当接し、係止体５は反時計回りに９０°回転して外筒２の側縁２１の間を通過する。付勢手段４の係合部４４と外筒２の付勢手段係合部材２２との係合関係は解かれて、引張コイルバネ４２の長さは、初期状態の長さＬ０に戻る。
【００３７】
以上の動作をドアＤに加える力に則して説明すると、図８（ａ）〜図８（ｅ）に示されるように、ドアＤは全開状態の若干手前（仮止め位置）まで力ｆ１で開扉することができるが、仮止め位置からドアＤを全開状態まで開扉するには、使用者の意図的な力ｆ２（力ｆ１より大きい）が必要になる。それゆえ、ドアＤを仮止め状態にしている際に、ドアＤが風などを受けて揺れたとしても、容易にドアＤが全開位置まで開扉されて、仮止めが解除されることはない。
【００３８】
以上により、上記実施の形態によれば、本発明のドア用開閉器１００は、外筒２と、外筒２内に摺動自在に収容された内挿部材３と、一端が内挿部材３に接続され、他端に外筒と係合する係合部が備えられた付勢手段４とを有している。この付勢手段４は、内挿部材３を外筒２から引き出して、付勢手段４の他端に設けられた係合部４４が、外筒２に設けられた付勢手段係合部材２２と係合する位置に達すると、ドア用開閉器１００の伸長方向の反対の方向へ向けて付勢する。すなわち、ドアＤは、所定の位置（仮止め位置）に達すると、付勢手段４により閉じる方向に付勢される。よって、ドアＤの仮止めを解除するために仮止め状態の位置からドアＤを全開状態にする場合には意図的な力を加える必要がある。したがって、本発明のドア用開閉器１００によれば、確実に仮止め状態を維持することができ、ドアＤの仮止めが、ちょっとしたドアＤの揺れ等により、不意に解除されることを防止することができる。
【００３９】
なお、上記実施の形態では、付勢手段４の一端が内挿部材３に接続され、他端が外筒２と係合する場合について説明したが、本発明はこれに限らず、付勢手段４の一端が外筒２に接続され、他端が内挿部材３と係合する形態であっても構わない。付勢手段が内挿部材３を伸長方向の反対の方向に向かって付勢する形態であれば構わない。
【図面の簡単な説明】
【００４０】
【図１】本発明のドア用開閉器の斜視図である。
【図２】本発明のドア用開閉器の使用状態を説明するための平面図である。
【図３（ａ）】本発明のドア用開閉器の動作を説明するための平面図である。
【図３（ｂ）】本発明のドア用開閉器の動作を説明するための平面図である。
【図３（ｃ）】本発明のドア用開閉器の動作を説明するための平面図である。
【図３（ｄ）】本発明のドア用開閉器の動作を説明するための平面図である。
【図３（ｅ）】本発明のドア用開閉器の動作を説明するための平面図である。
【図４（ａ）】本発明のドア用開閉器の動作を説明するための断面図である。
【図４（ｂ）】本発明のドア用開閉器の動作を説明するための断面図である。
【図４（ｃ）】本発明のドア用開閉器の動作を説明するための断面図である。
【図４（ｄ）】本発明のドア用開閉器の動作を説明するための断面図である。
【図４（ｅ）】本発明のドア用開閉器の動作を説明するための断面図である。
【図５】本発明の他の実施の形態にかかわるドア用開閉器の斜視図である
【図６】図５のドア用開閉器の動作を説明するための平面図である。
【図７】図５のドア用開閉器の動作を説明するための平面図である。
【図８】（ａ）〜（ｅ）は、本発明のドア用開閉器を使用したドアの動きと、ドアに加える力の大きさを説明するための図である。
【符号の説明】
【００４１】
２  外筒
２０  外筒底部
２０ａ  ブレーキ部
２１  外筒側縁
２２  付勢手段係合部材
３  内挿部材
４  付勢手段
４２  圧縮コイルバネ（引張コイルバネ）
４３  付勢力伝達プレート
４４  係合部
４５  係止部材
５  係止体
６  制動手段
９０  脱落防止手段
１００  ドア用開閉器
Ｐ  ピン
Ｓ  圧縮バネ押え
【図１】
2008031823.tif 000003
【図２】
2008031823.tif 000004
【図３（ａ）】
2008031823.tif 000005
【図３（ｂ）】
2008031823.tif 000006
【図３（ｃ）】
2008031823.tif 000007
【図３（ｄ）】
2008031823.tif 000008
【図３（ｅ）】
2008031823.tif 000009
【図４（ａ）】
2008031823.tif 000010
【図４（ｂ）】
2008031823.tif 000011
【図４（ｃ）】
2008031823.tif 000012
【図４（ｄ）】
2008031823.tif 000013
【図４（ｅ）】
2008031823.tif 000014
【図５】
2008031823.tif 000015
【図６】
2008031823.tif 000016
【図７】
2008031823.tif 000017
【図８】
2008031823.tif 000018